(57)【要約】【課題】  パネル解像度にあわせた最適な解像度の録画を行う技術を提供する。【解決手段】  所定の解像度の表示能力をもつパネルに対し複数の解像度で出力可能な放送受信装置における放送受信方法であって、前記パネルの解像度を取得し、録画対象番組の解像度を判定し、前記取得結果と前記判定結果とから最適な解像度で録画を実行することを特徴とする放送受信方法。  また前記パネルの解像度を超える解像度の放送を録画する外部からの指示に対し、最適な解像度における録画を促す警告メッセージを表出することを特徴とする放送受信方法。【選択図】      図２
2009212972.tif 000002
【特許請求の範囲】
【請求項１】
所定の解像度の表示能力をもつパネルに対し複数の解像度で出力可能な放送受信装置における放送受信方法であって、
前記パネルの解像度を取得し、
録画対象番組の解像度を判定し、
前記取得結果と前記判定結果とから最適な解像度で録画を実行することを特徴とする放送受信方法。
【請求項２】
前記パネルの解像度を超える解像度の放送を録画する外部からの指示に対し、最適な解像度における録画を促す警告メッセージを表出することを特徴とする請求項１に記載の放送受信方法。
【請求項３】
HD放送を録画する場合に、このHD放送をダウンコンバートしたSDの画像も録画することを特徴とする請求項１に記載の放送受信方法。
【請求項４】
SD放送を録画する場合に、このSD放送をアップコンバートしたHDの画像も録画することを特徴とする請求項１に記載の放送受信方法。
【請求項５】
外部のパネルの解像度を取得するステップを設けたことを特徴とする請求項１に記載の放送受信方法。
【発明の詳細な説明】
【技術分野】
【０００１】
本発明は、デジタル放送受信機等の放送受信方法に関する。
【背景技術】
【０００２】
昨今、TV放送の世界に限らず、デジタル化の流れはますます加速し、我々の生活にも大きな影響を与えている。MPEG等の圧縮技術が日々進歩しており、従来では考えられなかった大容量のデータを簡単に送受信することが出来るようになった。TV放送の世界では、高品質・高画質を求めるユーザが増加し、HDTV放送も市民権を得るようになった。しかしながら、全ての製品においてHDTV放送の対応がなされている訳ではなく、様々な用途を考慮したモデルラインアップが混在している状況である。選択肢が増えた一方で、自分が購入したTVの製品仕様を正確に把握することが難しくなり、正しくない（あまり意味の無い）操作を行ってしまう可能性が高くなっている。例えばWXGAパネルのTVなのに、内蔵HDDにフルHDの番組を録画するといったことが考えられる。
【０００３】
関連して特許文献１には概要として、複数の解像度の表示能力をもつモニタ装置と、複数の解像度で前記モニタ装置に出力可能なAV機器において、モニタ装置から現在出画中の解像度を取得する手段を有し、取得した解像度に合わせて操作画面を出力することを特徴とするAV機器なるものが記載されている。
【０００４】
しかしながら、パネル解像度の検出を行いそのパネル解像度にあわせた最適な解像度を扱う技術は開示されていないという問題があった。
【特許文献１】特開２００７−８９０１３号公報
【発明の開示】
【発明が解決しようとする課題】
【０００５】
本発明は、パネル解像度にあわせた最適な解像度の録画を行う技術を提供することを目的とする。
【課題を解決するための手段】
【０００６】
上記課題を解決するために、本発明の放送受信方法は、所定の解像度の表示能力をもつパネルに対し複数の解像度で出力可能な放送受信装置における放送受信方法であって、前記パネルの解像度を取得し、録画対象番組の解像度を判定し、前記取得結果と前記判定結果とから最適な解像度で録画を実行することを特徴とする。
【発明の効果】
【０００７】
本発明によれば、パネル解像度にあわせた最適な解像度の録画を行う技術が得られる。
【発明を実施するための最良の形態】
【０００８】
以下、本発明の実施形態を説明する。
【実施例１】
【０００９】
本発明による実施形態１を図１乃至図２を参照して説明する。
図１は、本発明に係るデジタル放送受信装置の一例の構成を示すブロック図である。
＜放送受信装置＞
本発明に係る放送受信装置Ａは、図１に示すように、一例としてデジタル放送を受信するデジタル放送受信装置であり、衛星アンテナ１１が接続される選局回路１２と、選局されたデジタル放送信号の出力を受ける復調・誤り訂正回路１３と、復調処理及び誤り訂正処理が施された出力信号を受けるパケット分離回路１４とを有している。更に、このパケット分離回路１４により分離された所望の番組のパケットが供給されるＭＰＥＧ２デコード回路１５とを有しており、この出力が出力端子２３に出力される。出力端子２３は、外部のディスプレイ等の表示機器１７に接続されている。
【００１０】
更に、デジタル放送受信装置Ａは、パケット分離回路１４から番組情報を含むＥＰＧ情報が供給される番組信号復調回路１８と、この復調された出力が供給される制御部１９を有している。更に、外部のインターネットに接続されて、例えば、ＥＰＧ情報を取得するべく通信を行う通信部２０を有している。通信部２０は、有線ＬＡＮ（Local Area Network）や無線ＬＡＮであってもよく、直接、電話回線に接続されるモデムであることも可能である。制御部１９は、操作部２１及びリモコン受信部２８に接続されて操作信号が供給される。リモコン受信部２８は、後述するリモコン装置Ｒからの操作信号Ｅを受信する。制御部１９は、更に、内部にＲＯＭ２５やＲＡＭ２６、ＣＰＵ２７等と、本発明に係るコード信号機能設定部２４とを有しており、上述した各部のユニットに接続されて全体の動作を司っている。更に、表示信号生成部であるオンスクリーンディスプレイＯＳＤ（On Screen Display）回路１６が接続され、この出力がＭＰＥＧデコード回路１５の出力と重畳されている。ＯＳＤ回路１６は、制御部１９からのＥＰＧ情報や、操作情報を表示するアイコン表示信号等を生成している。
【００１１】
又、更に、本発明に係るデジタルテレビジョン装置Ｂとして、図１に示す放送受信装置Ａとほぼ同等の構造を有しており、更に、表示部１７相当が内蔵されている形態の装置も構成できる。
【００１２】
このような構成を有する本発明に係るデジタル放送受信装置Ａ及びテレビジョン装置Ｂは、以下に示すように受信処理を行う。すなわち、衛星アンテナ１１で受信され周波数変換されたデジタルテレビジョン放送データは、選局回路１２で選局され、復調・誤り訂正回路１３にて復調処理及び誤り訂正処理が施される。
【００１３】
パケット分離回路１４は、入力されたトランスポートストリームに対してパケット分離処理を施し、所望の番組のパケットをＭＰＥＧ２デコード回路１５に出力すると共に、番組情報を含むＥＰＧ情報を番組信号復調回路１８に出力する。ＭＰＥＧ２デコード回路１５では、選択されたパケットの映像・音声のデコードを行う。
【００１４】
一方、番組信号復調回路１８では、入力されたＥＰＧ情報を復調してＥＰＧ情報を出力する。又、更に、通信部２０を介してインターネットからＥＰＧ情報を取得することも可能である。これらのＥＰＧ情報の取得方法は、設定により一方又は両方が行われる。復調されたＥＰＧ情報、又は、インターネットから取得したＥＰＧ情報は制御部１９に供給されて処理され、制御部１９は、操作部２１からの指令に基づいてＥＰＧ情報から所望の番組情報表示信号を生成し、表示信号生成部であるオンスクリーンディスプレイＯＳＤ（On Screen Display）回路１６に出力する。ＯＳＤ回路１６では、デコードされた映像信号に番組情報表示信号を合成して出力端子２３に出力する。
【００１５】
＜放送受信装置の処理動作＞
上述した構成を有する放送受信装置において、本実施形態の特徴的な処理動作をフローチャートを用いて以下に説明する。
（第１実施形態）
図２は、デジタル放送を録画する場合に、最適な解像度で録画させるための処理フローである。制御部１９が中心となり、動作を司る。
ユーザが視聴（ステップＳ２０１）中の番組の録画もしくはEPGから未来番組の録画予約を実行しようとした場合（ステップＳ２０２）、先ず対象番組の解像度情報を取得する（ステップＳ２０３）。対象番組がSD放送の場合（ステップＳ２０４のＹＥＳ）は、そのままの解像度で録画実行・予約を実施するが（ステップＳ２０５）、HD放送の場合（ステップＳ２０４のＮＯ）は、さらにTVパネルの解像度情報を取得する（ステップＳ２０６）。フルHD対応パネルの場合は（ステップＳ２０７のＹＥＳ）、HD解像度で録画実行・予約を実施し（ステップＳ２０８）、それ以外のパネルの場合は（ステップＳ２０７のＮＯ）SD解像度で録画実行・録画予約を実施する（ステップＳ２０９）。
【００１６】
SD解像度以外の解像度については、単にHD解像度とするのではなく、さらに詳細に分類しても構わない。例えば、XGA,WXGA等である。
ところでＨＤＤ等の記憶手段に番組の録画ができる装置が増えていて構成も様々となっている。まずは装置に内蔵の形態があり、ＵＳＢや専用ＬＡＮで外部ＨＤＤに録画する形態の装置も実用化されてきている。
【００１７】
表示部が外付け、あるいはＤＶＤハイブリッドレコーダー等の外部ＨＤＤに制御部がある場合には、H D M I（ H i g h D e f i n i t i o n M u l t i m e d i a I n t e r f a c e）におけるＣＥＣやＤＤＣ（Display Data Channel）といった通信手段により表示部の解像度を適宜入手できるように構成しておけばよい。制御部のある基板情報として、表示部のメーカ型名と解像度の対応リストといったものを予め備えておくのも好適である。
【実施例２】
【００１８】
本発明による実施形態２を図１及び図３を参照して説明する。実施形態１と共通する部分は説明を省略する。
図３は、最適な解像度を自動的に決定して録画するのではなく、ユーザによる最終判断を可能にする処理フローである。
録画対象番組の解像度情報を取得し、SD放送であればそのまま録画実行・録画予約を実施する。HD放送の場合は、TVパネルの解像度を取得し、フルHD対応パネルの場合は、ユーザがHD録画を指定した場合は、HD解像度で、SD録画を指定した場合はSD解像度で、録画実行・録画予約を実施する。フルHD対応パネルでない場合に、ユーザがHD解像度で録画指定した場合には（ステップＳ２０７ｂのＹＥＳ）、警告メッセージを表示し（ステップＳ２１０）、SDでの録画を促すようにするが、それでもHD解像度で録画したい場合は可能とする（ステップＳ２０８ｂ）。SD解像度を指定した場合は、そのままSD解像度で録画実行・録画予約を実施する（ステップＳ２０９ｂ）。なお警告メッセージは音声等の手段を援用してもよい。
【００１９】
SD解像度以外の解像度については、単にHD解像度とするのではなく、さらに詳細に分類しても構わない。例えば、XGA,WXGA等である。
【実施例３】
【００２０】
本発明による実施形態３を図１及び図４を参照して説明する。実施形態１、２と共通する部分は説明を省略する。
図４は、デジタル放送を録画する場合に、SD解像度とHD解像度の両方で録画を実施する処理に関するフローである。
HDD内蔵の受信機だけでなく、外付けHDD等の使用も想定すると、TV放送受信機のパネル解像度にのみ依存した録画方法は適切でない場合がある。また、HD解像度で録画したけれど、視聴後はSD解像度で保存しておきたいといった場合に、もう一度最初からSD解像度にダウンコンバートするのは時間が掛かり面倒である。これらの問題点を改善するために、SD放送の録画時には、アップコンバートしてHD解像度での録画を（ステップＳ２０５ａ）、HD放送時には、ダウンコンバートしてSD解像度の録画を（ステップＳ２０８ｃ）平行して実施するようにする。
【実施例４】
【００２１】
本発明による実施形態４を図１及び図５を参照して説明する。実施形態１〜３と共通する部分は説明を省略する。
図５は、図４で説明した手法を発展させて、ダウンコンバート/アップコンバートの実施をユーザが選択できるようにしたフローである。リモコン装置Ｒ等を用いたユーザによるコンバート指定が有効の場合のみ、コンバートした解像度での並列録画を実施する。コンバート指定については、まとめて１つでもいいし、個別に（ステップＳ５０５，ステップＳ５０８それぞれに）設定できるようにしても構わない。
【００２２】
これら実施形態の概要として、デジタル放送番組の録画に際し、放送番組の解像度情報を取得し、パネルの解像度にあわせ最適な解像度で録画する。ユーザがパネルの解像度以上で録画しようとしたときは注意を促す。ＨＤ放送を録画するときは、同時にＳＤ画像も録画し、ユーザは自分のＴＶの解像度にあったものを選択できるようにする。
【００２３】
本実施形態により、ユーザに煩わしい判断をさせることなく、最適な解像度での録画を実行することが可能となった。また、録画時にアップコンバートもしくはダウンコンバートして、SDとHD両方の解像度で録画することにより、外付けHDDのように様々な機器に接続する録画機器にも柔軟に対応することが可能となった。
【００２４】
また録画解像度を変更したい場合のユーザの手間を削減することが可能となった。ユーザに意識させることなく、最適な画質での録画や最適な画質での描画を自動的に行うことが可能なデジタル放送受信機の提示に関するものである。
【００２５】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２６】
【図１】本発明に係るデジタル放送受信装置の一実施形態の構成を示すブロック図。
【図２】同実施形態の最適な解像度における録画方法に関するフローチャート。
【図３】同実施形態のユーザが選択した解像度が不正の場合の処理に関するフローチャート。
【図４】同実施形態のHD放送を録画する際の工夫に関するフローチャート。
【図５】同実施形態にユーザによる機能のオンオフを可能にしたフローチャート。
【符号の説明】
【００２７】
Ａ…放送受信装置、１１…アンテナ、１２…選局回路、１３…復調・誤り訂正回路、１４…パケット分離回路、１５…ＭＰＥＧデコード回路、１６…ＯＳＤ回路、１７…表示機器、１８…番組信号復調回路、１９…制御部、２１…操作部、２３…出力端子、２４…コード信号機能設定部、２５…ＲＯＭ、２６…ＲＡＭ、２７…ＣＰＵ、２８…リモコン受信部（コード信号受信）、Ｒ…リモコン装置。
【図１】
2009212972.tif 000003
【図２】
2009212972.tif 000004
【図３】
2009212972.tif 000005
【図４】
2009212972.tif 000006
【図５】
2009212972.tif 000007